(57)【要約】【課題】撮像が行われたことを音で確認することができ、また、撮像条件を音で把握することができる撮像装置及びその撮像方法並びに設定切替方法を提供する。【解決手段】特定の撮像条件の設定値が切り替えられると、切り替えられた設定値に対応する音声がスピーカ１６から出力される。また、シャッタボタンを全押しして、撮影を指示すると、特定の撮影条件の情報を反映させたシャッタ音がスピーカ１６から出力される。【選択図】      図２
2009088688.tif 000002
【特許請求の範囲】
【請求項１】
撮像指示に応じて被写体像を撮像手段で撮像し、得られた画像を記憶手段に記録する撮像装置において、
音声を出力する音声出力手段と、
特定の撮像条件に対して設定値ごとに定められた音声データが、対応する設定値に関連づけられて格納された音声データ格納手段と、
前記特定の撮像条件の設定値の切り替えを検出する設定切替検出手段と、
前記設定切替検出手段で前記特定の撮像条件の設定値の切り替えが検出されると、切り替えられた設定値に対応する音声データを前記音声データ格納手段から読み出し、該音声データが表す音声を前記音声出力手段から出力させる音声出力制御手段と、
を備えたことを特徴とする撮像装置。
【請求項２】
前記特定の撮像条件は、ＩＳＯ感度、ホワイトバランス、露出補正、絞り、又は、シャッタ速度の少なくとも一つであることを特徴とする請求項１に記載の撮像装置。
【請求項３】
撮像指示に応じて被写体像を撮像手段で撮像し、得られた画像を記憶手段に記録する撮像装置において、
音声を出力する音声出力手段と、
特定の撮像条件に対して設定値ごとに定められた音声データが、対応する設定値に関連づけられて格納された音声データ格納手段と、
本撮像時における前記特定の撮像条件の設定値の情報を取得するとともに、取得した設定値に対応する音声データを前記音声データ格納手段から読み出し、該音声データが表す音声をシャッタ音として、前記撮像手段による撮像に同期させて、前記音声出力手段から出力させる音声出力制御手段と、
を備えたことを特徴とする撮像装置。
【請求項４】
撮像指示に応じて被写体像を撮像手段で撮像し、得られた画像を記憶手段に記録する撮像装置において、
音声を出力する音声出力手段と、
標準のシャッタ音の音声データが格納された音声データ格納手段と、
本撮像時における特定の撮像条件の設定値の情報を取得し、取得した設定値に応じて前記標準のシャッタ音の音声データを加工し、本撮像時に出力するシャッタ音の音声データを生成するシャッタ音生成手段と、
前記シャッタ音生成手段で生成された音声データが表す音声をシャッタ音として、前記撮像手段による撮像に同期させて、前記音声出力手段から出力させる音声出力制御手段と、
を備えたことを特徴とする撮像装置。
【請求項５】
シャッタ音生成手段は、前記標準のシャッタ音の音声データを本撮像時における前記特定の撮像条件の設定値に応じて歪ませることにより、本撮像時に出力するシャッタ音を生成することを特徴とする請求項４に記載の撮像装置。
【請求項６】
前記特定の撮像条件は、ＩＳＯ感度、ホワイトバランス、露出補正、絞り、又は、シャッタ速度の少なくとも一つであることを特徴とする請求項３、４又は５に記載の撮像装置。
【請求項７】
撮像開始指示に応じて動画の撮像を開始するとともに、撮像終了指示に応じて動画の撮像を終了し、得られた動画データを記憶手段に記録する撮像装置において、
音声を出力する音声出力手段と、
動画の撮像開始を示す音声データと、動画の撮像終了を示す音声データとが格納された音声データ格納手段と、
前記撮像開始指示に応じて、前記音声データ格納手段から前記動画の撮像開始を示す音声データを読み出し、該音声データが表す音声を前記音声出力手段から出力させるとともに、前記撮像終了指示に応じて、前記音声データ格納手段から前記動画の撮像終了を示す音声データを読み出し、該音声データが表す音声を前記音声出力手段から出力させる音声出力制御手段と、
を備えたことを特徴とする撮像装置。
【請求項８】
前記音声データ格納手段には、さらに動画の撮像中を示す音声データが格納され、
前記音声出力制御手段は、動画の撮像中、前記音声データ格納手段から前記動画の撮像中を示す音声データを読み出し、該音声データが表す音声を前記音声出力手段から出力させることを特徴とする請求項７に記載の撮像装置。
【請求項９】
撮像により得られた動画データから音声データを抽出し、該音声データから前記撮像中を示す音声データの成分を除去する音声データ修正手段を備えたことを特徴とする請求項７又は８に記載の撮像装置。
【請求項１０】
特定の撮像条件の設定が切り替え可能な撮像装置の設定切替方法において、
前記特定の撮像条件の設定の切り替えを検出する工程と、
前記特定の撮像条件に対して設定値ごとに定められた音声データが、対応する設定値に関連づけられて記録された音声データベースから、切り替えられた設定値に対応する音声データを読み出す工程と、
読み出した音声データが表す音声を音声出力手段から出力させる工程と、
からなることを特徴とする撮像装置の設定切替方法。
【請求項１１】
撮像指示に応じて被写体像を撮像手段で撮像し、得られた画像を記憶手段に記録する撮像装置の撮像方法において、
本撮像時における特定の撮像条件の設定値の情報を取得する工程と、
前記特定の撮像条件に対して設定値ごとに定められた音声データが、対応する設定値に関連づけられて記録された音声データベースから、取得した設定値に対応する音声データを読み出す工程と、
読み出した音声データが表す音声をシャッタ音として、前記撮像手段による撮像に同期させて、音声出力手段から出力させる工程と、
からなることを特徴とする撮像装置の撮像方法。
【請求項１２】
撮像指示に応じて被写体像を撮像手段で撮像し、得られた画像を記憶手段に記録する撮像装置の撮像方法において、
本撮像時における特定の撮像条件の設定値の情報を取得する工程と、
取得した設定値に応じて標準のシャッタ音の音声データを加工し、本撮像時に出力するシャッタ音の音声データを生成する工程と、
生成された音声データが表す音声をシャッタ音として、前記撮像手段による撮像に同期させて、音声出力手段から出力させる工程と、
を備えたことを特徴とする撮像装置の撮像方法。
【請求項１３】
前記本撮像時に出力するシャッタ音の音声データは、前記標準のシャッタ音の音声データを本撮像時における前記特定の撮像条件の設定値に応じて歪ませることにより生成することを特徴とする請求項１２に記載の撮像装置の撮像方法。
【請求項１４】
撮像開始指示に応じて動画の撮像を開始するとともに、撮像終了指示に応じて動画の撮像を終了し、得られた動画データを記憶手段に記録する撮像装置の撮像方法において、
前記撮像開始指示に応じて、動画の撮像開始を示す音声を音声出力手段から出力させる工程と、
前記撮像終了指示に応じて、動画の撮像終了を示す音声を音声出力手段から出力させる工程と、
からなることを特徴とする撮像装置の撮像方法。
【請求項１５】
動画の撮像中、動画の撮像中を示す音声を音声出力手段から出力させる工程を含むことを特徴とする請求項１４に記載の撮像装置の撮像方法。
【請求項１６】
撮像により得られた動画データから音声データを抽出する工程と、
抽出された音声データから前記撮像中を示す音声の成分を除去する工程と、
音声データから前記撮像中を示す音声の成分が除去された動画データを記録する工程と、
を含むことを特徴とする請求項１５に記載の撮像装置の撮像方法。
【発明の詳細な説明】
【技術分野】
【０００１】
本発明は、撮像装置及びその撮像方法並びにその設定切替方法に係り、特に音声ガイダンス機能を備えた撮像装置及びその撮像方法並びにその設定切替方法に関する。
【背景技術】
【０００２】
一般にコンパクトタイプのデジタルカメラは、機械的なシャッタ機構を持たないため、撮像してもシャッタ音が鳴らない。シャッタ音が鳴らないと、撮像の感覚が掴みにくくなることから、この種のデジタルカメラの多くは、擬似的なシャッタ音を発生させる機能を備えている。
【０００３】
特許文献１では、この擬似的なシャッタ音を発生させる際、通常撮像（１コマ撮像）と連写撮像とでシャッタ音の復調レートを変えることが提案されている。
【０００４】
また、特許文献２では、設定された撮像モードに応じてシャッタ音を変えることが提案されている。
【０００５】
また、特許文献３では、カメラに備えられた音声出力機能を利用して、電池交換の要否や撮像可能枚数の大小等を効果音やメロディで告知することが提案されている。
【０００６】
さらに、特許文献４では、カメラの取り扱い方を音声で告知することが提案されている。
【特許文献１】特開２０００−３０７９０２号公報
【特許文献２】特開２００１−５９９８７号公報
【特許文献３】特開２００１−１４２１３１号公報
【特許文献４】特開２００４−１２６００７号公報
【発明の開示】
【発明が解決しようとする課題】
【０００７】
従来のデジタルカメラは、各種情報が音声で告知されるが、実際の撮像がどのような条件で行われたかは、その音声からは把握できないという欠点があった。この結果、撮像の成否までを把握することはできないという欠点があった。
【０００８】
本発明はこのような事情に鑑みてなされたもので、撮像が行われたことを音で確認することができ、また、撮像条件を音で把握することができる撮像装置及びその撮像方法並びに設定切替方法を提供することを目的とする。
【課題を解決するための手段】
【０００９】
請求項１に係る発明は、前記目的を達成するために、撮像指示に応じて被写体像を撮像手段で撮像し、得られた画像を記憶手段に記録する撮像装置において、音声を出力する音声出力手段と、特定の撮像条件に対して設定値ごとに定められた音声データが、対応する設定値に関連づけられて格納された音声データ格納手段と、前記特定の撮像条件の設定値の切り替えを検出する設定切替検出手段と、前記設定切替検出手段で前記特定の撮像条件の設定値の切り替えが検出されると、切り替えられた設定値に対応する音声データを前記音声データ格納手段から読み出し、該音声データが表す音声を前記音声出力手段から出力させる音声出力制御手段と、を備えたことを特徴とする撮像装置を提供する。
【００１０】
請求項１に係る発明によれば、撮像条件が切り替えられると、切り替えられた撮像条件の新たな設定値に対応する音声が音声出力手段から出力される。これにより、撮像条件を音で認識することができる。
【００１１】
請求項２に係る発明は、前記目的を達成するために、前記特定の撮像条件は、ＩＳＯ感度、ホワイトバランス、露出補正、絞り、又は、シャッタ速度の少なくとも一つであることを特徴とする請求項１に記載の撮像装置を提供する。
【００１２】
請求項２に係る発明によれば、ＩＳＯ感度、ホワイトバランス、露出補正、絞り、又は、シャッタ速度の少なくとも一つが切り替えられると、その切り替えられた撮像条件の新たな設定値に対応する音声が音声出力手段から出力される。これらの撮像条件は、撮像の成否に直接関わることから、これらの撮像条件の情報が音声として出力されることにより、撮像段階で撮像の成否を直感的に予測することができるようになる。
【００１３】
請求項３に係る発明は、前記目的を達成するために、撮像指示に応じて被写体像を撮像手段で撮像し、得られた画像を記憶手段に記録する撮像装置において、音声を出力する音声出力手段と、特定の撮像条件に対して設定値ごとに定められた音声データが、対応する設定値に関連づけられて格納された音声データ格納手段と、本撮像時における前記特定の撮像条件の設定値の情報を取得するとともに、取得した設定値に対応する音声データを前記音声データ格納手段から読み出し、該音声データが表す音声をシャッタ音として、前記撮像手段による撮像に同期させて、前記音声出力手段から出力させる音声出力制御手段と、を備えたことを特徴とする撮像装置を提供する。
【００１４】
請求項３に係る発明によれば、本撮像時に特定の撮像条件の設定値の情報を反映させたシャッタ音が音声出力手段から出力される。これにより、撮像が行われたことを確認できるとともに、本撮像時の撮像条件の確認も行うことができるようになる。
【００１５】
請求項４に係る発明は、前記目的を達成するために、撮像指示に応じて被写体像を撮像手段で撮像し、得られた画像を記憶手段に記録する撮像装置において、音声を出力する音声出力手段と、標準のシャッタ音の音声データが格納された音声データ格納手段と、本撮像時における特定の撮像条件の設定値の情報を取得し、取得した設定値に応じて前記標準のシャッタ音の音声データを加工し、本撮像時に出力するシャッタ音の音声データを生成するシャッタ音生成手段と、前記シャッタ音生成手段で生成された音声データが表す音声をシャッタ音として、前記撮像手段による撮像に同期させて、前記音声出力手段から出力させる音声出力制御手段と、を備えたことを特徴とする撮像装置を提供する。
【００１６】
請求項４に係る発明によれば、本撮像時に特定の撮像条件の設定値の情報を反映させたシャッタ音が音声出力手段から出力される。この際、シャッタ音として、標準のシャッタ音の音声データを撮像条件の設定値に応じて加工した音声が出力される。これにより、あらかじめ用意するシャッタ音の音声データの数を削減することができる。
【００１７】
請求項５に係る発明は、前記目的を達成するために、シャッタ音生成手段は、前記標準のシャッタ音の音声データを本撮像時における前記特定の撮像条件の設定値に応じて歪ませることにより、本撮像時に出力するシャッタ音を生成することを特徴とする請求項４に記載の撮像装置を提供する。
【００１８】
請求項５に係る発明によれば、標準のシャッタ音の音声データを本撮像時における特定の撮像条件の設定値に応じて歪ませることにより、本撮像時に出力するシャッタ音が生成される。
【００１９】
請求項６に係る発明は、前記目的を達成するために、前記特定の撮像条件は、ＩＳＯ感度、ホワイトバランス、露出補正、絞り、又は、シャッタ速度の少なくとも一つであることを特徴とする請求項３、４又は５に記載の撮像装置を提供する。
【００２０】
請求項６に係る発明によれば、ＩＳＯ感度、ホワイトバランス、露出補正、絞り、又は、シャッタ速度の少なくとも一つの情報が、シャッタ音に反映されて出力される。
【００２１】
請求項７に係る発明は、前記目的を達成するために、撮像開始指示に応じて動画の撮像を開始するとともに、撮像終了指示に応じて動画の撮像を終了し、得られた動画データを記憶手段に記録する撮像装置において、音声を出力する音声出力手段と、動画の撮像開始を示す音声データと、動画の撮像終了を示す音声データとが格納された音声データ格納手段と、前記撮像開始指示に応じて、前記音声データ格納手段から前記動画の撮像開始を示す音声データを読み出し、該音声データが表す音声を前記音声出力手段から出力させるとともに、前記撮像終了指示に応じて、前記音声データ格納手段から前記動画の撮像終了を示す音声データを読み出し、該音声データが表す音声を前記音声出力手段から出力させる音声出力制御手段と、を備えたことを特徴とする撮像装置を提供する。
【００２２】
請求項７に係る発明によれば、動画の撮像開始を指示すると、動画の撮像開始を示す音声が音声出力手段から出力される。撮像終了を指示すると、動画の撮像終了を示す音声が音声出力手段から出力される。これにより、実際に撮像されていることを音で確認することができる。
【００２３】
請求項８に係る発明は、前記目的を達成するために、前記音声データ格納手段には、さらに動画の撮像中を示す音声データが格納され、前記音声出力制御手段は、動画の撮像中、前記音声データ格納手段から前記動画の撮像中を示す音声データを読み出し、該音声データが表す音声を前記音声出力手段から出力させることを特徴とする請求項７に記載の撮像装置を提供する。
【００２４】
請求項８に係る発明によれば、動画の撮像中にも撮像中であることを示す音声が音声出力手段から出力される。これにより、より確実に動画が撮像中であることを確認することができる。
【００２５】
請求項９に係る発明は、前記目的を達成するために、撮像により得られた動画データから音声データを抽出し、該音声データから前記撮像中を示す音声データの成分を除去する音声データ修正手段を備えたことを特徴とする請求項７又は８に記載の撮像装置を提供する。
【００２６】
請求項９に係る発明によれば、撮像された動画の音声データから撮像中に出力された音声の成分が除去されて記録される。これにより、不要な音声が記録されるのを防止できる。
【００２７】
請求項１０に係る発明は、前記目的を達成するために、特定の撮像条件の設定が切り替え可能な撮像装置の設定切替方法において、前記特定の撮像条件の設定の切り替えを検出する工程と、前記特定の撮像条件に対して設定値ごとに定められた音声データが、対応する設定値に関連づけられて記録された音声データベースから、切り替えられた設定値に対応する音声データを読み出す工程と、読み出した音声データが表す音声を音声出力手段から出力させる工程と、からなることを特徴とする撮像装置の設定切替方法を提供する。
【００２８】
請求項１０に係る発明によれば、撮像条件が切り替えられると、切り替えられた撮像条件の新たな設定値に対応する音声が音声出力手段から出力される。これにより、撮像条件を音で認識することができる。
【００２９】
請求項１１に係る発明は、前記目的を達成するために、撮像指示に応じて被写体像を撮像手段で撮像し、得られた画像を記憶手段に記録する撮像装置の撮像方法において、本撮像時における特定の撮像条件の設定値の情報を取得する工程と、前記特定の撮像条件に対して設定値ごとに定められた音声データが、対応する設定値に関連づけられて記録された音声データベースから、取得した設定値に対応する音声データを読み出す工程と、読み出した音声データが表す音声をシャッタ音として、前記撮像手段による撮像に同期させて、音声出力手段から出力させる工程と、からなることを特徴とする撮像装置の撮像方法を提供する。
【００３０】
請求項１１に係る発明によれば、本撮像時に特定の撮像条件の設定値の情報を反映させたシャッタ音が音声出力手段から出力される。これにより、撮像が行われたことを確認できるとともに、本撮像時の撮像条件の確認も行うことができるようになる。
【００３１】
請求項１２に係る発明は、前記目的を達成するために、撮像指示に応じて被写体像を撮像手段で撮像し、得られた画像を記憶手段に記録する撮像装置の撮像方法において、本撮像時における特定の撮像条件の設定値の情報を取得する工程と、取得した設定値に応じて標準のシャッタ音の音声データを加工し、本撮像時に出力するシャッタ音の音声データを生成する工程と、生成された音声データが表す音声をシャッタ音として、前記撮像手段による撮像に同期させて、音声出力手段から出力させる工程と、を備えたことを特徴とする撮像装置の撮像方法を提供する。
【００３２】
請求項１２に係る発明によれば、本撮像時に特定の撮像条件の設定値の情報を反映させたシャッタ音が音声出力手段から出力される。これにより、撮像が行われたことを確認できるとともに、本撮像時の撮像条件の確認も行うことができるようになる。
【００３３】
請求項１３に係る発明は、前記目的を達成するために、前記本撮像時に出力するシャッタ音の音声データは、前記標準のシャッタ音の音声データを本撮像時における前記特定の撮像条件の設定値に応じて歪ませることにより生成することを特徴とする請求項１２に記載の撮像装置の撮像方法を提供する。
【００３４】
請求項１３に係る発明によれば、標準のシャッタ音の音声データを本撮像時における特定の撮像条件の設定値に応じて歪ませることにより、本撮像時に出力するシャッタ音が生成される。
【００３５】
請求項１４に係る発明は、前記目的を達成するために、撮像開始指示に応じて動画の撮像を開始するとともに、撮像終了指示に応じて動画の撮像を終了し、得られた動画データを記憶手段に記録する撮像装置の撮像方法において、前記撮像開始指示に応じて、動画の撮像開始を示す音声を音声出力手段から出力させる工程と、前記撮像終了指示に応じて、動画の撮像終了を示す音声を音声出力手段から出力させる工程と、からなることを特徴とする撮像装置の撮像方法を提供する。
【００３６】
請求項１４に係る発明によれば、動画の撮像開始を指示すると、動画の撮像開始を示す音声が音声出力手段から出力される。撮像終了を指示すると、動画の撮像終了を示す音声が音声出力手段から出力される。これにより、実際に撮像されていることを音で確認することができる。
【００３７】
請求項１５に係る発明は、前記目的を達成するために、動画の撮像中、動画の撮像中を示す音声を音声出力手段から出力させる工程を含むことを特徴とする請求項１４に記載の撮像装置の撮像方法を提供する。
【００３８】
請求項１５に係る発明によれば、動画の撮像中にも撮像中であることを示す音声が音声出力手段から出力される。これにより、より確実に動画が撮像中であることを確認することができる。
【００３９】
請求項１６に係る発明は、前記目的を達成するために、撮像により得られた動画データから音声データを抽出する工程と、抽出された音声データから前記撮像中を示す音声の成分を除去する工程と、音声データから前記撮像中を示す音声の成分が除去された動画データを記録する工程と、を含むことを特徴とする請求項１５に記載の撮像装置の撮像方法を提供する。
【００４０】
請求項９に係る発明によれば、撮像された動画の音声データから撮像中に出力された音声の成分が除去されて記録される。これにより、不要な音声が記録されるのを防止できる。
【発明の効果】
【００４１】
本発明によれば、撮像条件を音で判別することができる。また、これにより、撮像の成否を音で直感的に把握することができる。さらに、目の不自由な人にも使い勝手のよい撮像装置を提供することができる。
【発明を実施するための最良の形態】
【００４２】
以下、添付図面に従って本発明に係る撮像装置及びその撮像方法並びにその設定切替方法の好ましい実施の形態について説明する。
【００４３】
＜第１の実施の形態＞
図１は、本発明に係る撮像装置の一実施の形態の外観構成を示す外観図である。
【００４４】
同図に示すように、この撮像装置１０は、静止画及び動画の記録、再生機能を備えた電子カメラであり、その上面には、電源スイッチ１２、シャッタボタン１４、スピーカ１６等が設けられている。また、撮像装置１０の背面には、動作モード切替スイッチ１８、ズームスイッチ２０、モニタ２２、ファインダ接眼部２４、メニューボタン２６、表示ボタン２８、マルチファンクションスイッチ３０、削除ボタン３２等が設けられており、正面には、フラッシュ３４、ファインダ窓３６、レンズ３８、マイク４０等が設けられている。
【００４５】
電源スイッチ１２は、撮像装置１０の電源のオン・オフを切り替えるための操作手段である。
【００４６】
シャッタボタン１４は、撮像指示を入力するための操作手段であり、半押しの位置でオンするＳ１スイッチと、半押しの位置から更に押し込んだ全押しの位置でオンするＳ２スイッチとを有する２段ストローク式のスイッチで構成されている。
【００４７】
静止画撮像時、撮像装置１０は、このシャッタボタン１４の半押しで撮像準備、すなわち、ＡＥ（Automatic Exposure）、ＡＦ(Auto-Focus)処理を実行し、全押しで本撮像、すなわち、画像の撮像及び記録を行う。
【００４８】
また、動画撮像時、撮像装置１０は、シャッタボタン１４の全押しで動画の撮像を開始し、全押し解除後、再度シャッタボタン１４を全押しすることにより、動画の撮像を終了する。あるいは、シャッタボタン１４の全押しで動画の撮像を開始し、シャッタボタン１４を全押ししている間中、動画を撮像し、全押しを解除すると、動画の撮像を終了する。ユーザは、この操作モードを任意に選択することができる。
【００４９】
スピーカ１６は、動画再生時における音声の出力に用いられるほか、シャッタ音、操作音、ビープ音、ガイダンス音声等を出力する。
【００５０】
動作モード切替スイッチ１８は、静止画を撮像するための静止画撮像モードと、動画を撮像するための動画撮像モードと、画像を再生するための再生モードとの間で、撮像装置１０の動作モードを切り替えるための操作手段である。図１に示す例では、動作モード切替スイッチ１８は、スライド式のスイッチで構成されている。
【００５１】
ズームスイッチ２０は、ズームの指示を入力するための操作手段である。このズームスイッチ２０は、ワイド方向へのズームの指示を入力するズームワイドスイッチ２０Ｗと、テレ方向へのズームの指示を入力するズームテレスイッチ２０Ｔとで構成されており、それぞれ押下式のスイッチで構成されている。
【００５２】
モニタ２２は、カラー表示が可能な液晶ディスプレイ（ＬＣＤ）で構成されている。このモニタ２２は、再生モード時に撮像済み画像の再生表示画面として使用されるほか、動画又は静止画の撮像モード時に撮像素子から出力された画像をスルー表示して、電子ファインダとして使用される。また、各種設定時にＧＵＩとして利用される。
【００５３】
メニューボタン２６は、モニタ２２へのメニュー画面の表示指示を入力するための操作手段である。
【００５４】
表示ボタン２８は、モニタ２２の画面表示の切り替えの指示を入力するための操作ボタンである。
【００５５】
撮像装置１０は、動画又は静止画の撮像モード時、この表示ボタン２８が押下されるたびに、モニタ２２の画面表示が切り替えられ、スルー画像に重ねて撮像条件（絞り値、シャッタ速度、ＩＳＯ感度、画像サイズ等）等が表示された状態から、さらにフレーミングガイド（いわゆる方眼スクリーン）が重ねて表示された状態、スルー画像のみが表示された状態、画面表示がオフの状態に切り替えられる。
【００５６】
また、再生モード時には、表示ボタン２８が押下されるたびに、再生画像にその撮像条件の情報（撮像時の絞り値、シャッタ速度、ＩＳＯ感度、画像サイズ等）等が重ねて表示された状態から、再生画像のみが表示された状態、複数枚まとめた表示された状態（いわゆるマルチ表示の状態）に切り替えられる。
【００５７】
マルチファンクションスイッチ３０は、十字キー３０Ａと、その中央に配置された決定ボタン３０Ｂとで構成されている。
【００５８】
十字キー３０Ａは、上下左右の４方向の指示を入力可能な多機能操作部であり、撮像装置１０の状態に応じて割り当てられる機能が切り替えられる。
【００５９】
たとえば、モニタ２２を用いた各種設定時には、モニタ２２に表示されるメニュー画面からメニュー項目を選択したり、そのメニュー項目の中の項目を選択したりする機能が割り当てられる。この際、十字キー３０Ａによるメニュー項目等の選択は、中央の決定ボタン３０Ｂの押下によって確定される。
【００６０】
また、動画又は静止画の撮像モード時には、十字キー３０Ａの上のボタンにフラッシュモードの切り替え（オート発光、強制発光、赤目軽減発光、オフ）を指示する機能が割り当てられ、下のボタンにマクロ機能（接写機能）のオン・オフの切り替えを指示する機能が割り当てられる。
【００６１】
さらに、再生モード時には、十字キー３０Ａの右のボタンに画像の１コマ送りを指示する機能が割り当てられ、左のボタンに画像の１コマ戻しを指示する機能が割り当てられる。
【００６２】
削除ボタン３２は、再生モード時において、モニタ２２に再生表示中の画像の削除指示を入力するための操作手段である。
【００６３】
レンズ３８は、沈胴式のズームレンズで構成されており、撮像時以外はカメラボディ内に沈胴する。
【００６４】
マイク４０は、音声を入力するための装置であり、たとえば、動画撮像時やボイスメモ時に用いられる。
【００６５】
図２は、図１に示した撮像装置１０の内部構成を示すブロック図である。
【００６６】
同図に示すようによう、本実施の形態の撮像装置１０は、中央処理装置（ＣＰＵ）５０、操作部５４、光学系５６、撮像素子５８、ＣＤＳアナログエンコーダ６０、ホワイトバランスアンプ６２、ガンマ補正処理部６４、点順次化回路６６、Ａ／Ｄ変換器６８、ズームモータ７０、アイリスモータ７２、ＡＦモータ７４、ズームモータドライバ７６、アイリスモータドライバ７８、ＡＦモータドライバ８０、内蔵時計８２、電子ボリューム８４、メモリコントローラ８６、メインメモリ８８、圧縮／伸張処理部９０、ＭＰＥＧエンンコーダ＆デコーダ９２、ＹＣ信号作成部９４、色変換部９６、ＮＴＳＣエンコーダ９８、外部メモリインタフェイス１００、外部メモリ１０２、通信インタフェイス１０４、モニタドライバ１０８、オーディオ入出力回路１１０、音声データベース１１２等を備えて構成されている。
【００６７】
ＣＰＵ５０は、撮像装置全体の動作を統括制御する制御手段として機能し、所定の制御プログラムに従って撮像装置全体の動作を制御する。また、ＣＰＵ５０は、演算処理手段として機能し、所定の演算処理プログラムに従ってＡＥ演算、ＡＦ演算、ホワイトバランス（ＷＢ）調整演算等の各種演算処理を実行する。撮像装置１０の各部は、このＣＰＵ５０とバス５２を介して接続されている。
【００６８】
操作部５４は、図１に示した電源スイッチ１２、シャッタボタン１４、動作モード切替スイッチ１８、ズームスイッチ２０、メニューボタン２６、表示ボタン２８、マルチファンクションスイッチ３０、削除ボタン３２等の各種操作手段を含み、ユーザからの操作に応じた信号をＣＰＵ５０に出力する。ＣＰＵ５０は、この操作部５４からの信号に基づいて、撮像装置１０の各部を制御し、レンズ駆動制御、撮像動作制御、画像処理制御、画像の記録制御、再生制御、モニタ２２の表示制御、音声出力制御等を行う。
【００６９】
光学系５６（図１のレンズ３８を含む）は、光軸上に図示しないズームレンズ、フォーカスレンズ、絞り等が配置されて構成されている。ズームレンズ、フォーカスレンズ、絞りは、それぞれズームモータ７０、アイリスモータ７２、ＡＦモータ７４に駆動されて動作する。
【００７０】
ＣＰＵ５０は、ズーム時、ズームモータドライバ７６に制御信号を出力してズームモータ７０を駆動し、ズームレンズを光軸方向に移動させる。これにより、レンズ３８がズーミングされる。
【００７１】
また、ＣＰＵ５０は、フォーカス時、ＡＦモータドライバ８０に制御信号を出力してＡＦモータ７４を駆動し、フォーカスレンズを光軸方向に移動させる。これにより、レンズ３８の焦点合わせが行われる。
【００７２】
また、ＣＰＵ１８は、絞り調整時、アイリスモータドライバ７８に制御信号を出力してアイリスモータ７２を駆動し、絞り値（絞りの開口量）を調整する。
【００７３】
この光学系５６を通過した光は、撮像素子５８の受光面に入射する。
【００７４】
撮像素子５８は、所定のカラーフィルタ配列（たとえば、ベイヤ配列）のカラーＣＣＤが用いられ、その受光面には多数の受光素子（フォトダイオード）が２次元的に配列されている。ＣＣＤ５８の受光面に結像された被写体像は、各受光素子によって入射光量に応じた量の信号電荷に変換される。各受光素子に蓄積された信号電荷は、ＣＰＵ５０の指令に従って信号電荷に応じたアナログ画像信号（Ｒ、Ｇ、Ｂ信号）として順次読み出される。
【００７５】
なお、本例では、撮像素子としてＣＣＤを使用しているが、ＣＣＤ以外の撮像素子（たとえば、ＣＭＯＳ等）を用いることもできる。
【００７６】
ＣＣＤ５８から読み出されたアナログ画像信号は、ＣＤＳアナログデコーダ６０に入力される。
【００７７】
ＣＤＳアナログデコーダ６０は、ＣＣＤ５８から読み出されたアナログの画像信号をサンプリングホールド（相関２重サンプリング処理）し、ノイズ成分をキャンセルした後、ホワイトバランスアンプ６２に出力する。
【００７８】
ホワイトバランスアンプ６２は、ＣＰＵ５０による制御の下、ＣＤＳアナログデコーダ６０から出力された画像信号に対してホワイトバランスを調整する。ＣＰＵ５０は、ＣＣＤ５８の各分割エリアから取得したアナログ画像信号の色ごとの平均積算値を算出し、この色ごとの平均積算値に基づいて撮像環境の光源種を判別し、判別した光源種に応じて電子ボリューム（ＥＶＲ）８４を制御して、ホワイトバランスアンプ６２におけるゲインを制御し、ＣＤＳアナログデコーダ６０から出力された画像信号に対してホワイトバランスを調整する。
【００７９】
ホワイトバランスアンプ６２から出力されたアナログ画像信号は、ガンマ補正処理部６４に入力されてガンマ補正が施された後、点順次化回路６６によって点順次化（単板ＣＣＤのカラーフィルタ配列に伴う色信号の空間的なズレを補間して色信号を同時式に変換する処理）処理が施される。
【００８０】
点順次化回路６６から出力された点順次のアナログ画像信号は、Ａ／Ｄ変換器６８によってデジタル画像信号に変換され、メモリコントローラ８６を介してメインメモリ８８に格納される。
【００８１】
メインメモリ８８は、画像信号（画像データ）の一時格納領域として使用されるほか、ＣＰＵ５０の演算作業領域等として利用される。メモリコントローラ８６は、ＣＰＵ５０からの制御信号に従って、メインメモリ８８への読み書きを制御する。
【００８２】
ＹＣ信号作成部９４は、ＣＰＵ５０からの制御信号に従って、メインメモリ８８に格納されたデジタル画像信号を取り込み、輝度信号（Ｙ信号）と色差信号（Ｃｒ信号及びＣｂ信号）とからなる画像信号（ＹＣ信号）を生成する。
【００８３】
圧縮伸張処理部９０は、ＣＰＵ５０からの制御信号に従って、ＹＣ信号作成部９４によって生成された画像データを所定の圧縮フォーマット（たとえばＪＰＥＧ）に従って圧縮する。また、圧縮された画像データを伸張し、非圧縮の画像データに変換する。
【００８４】
ＭＰＥＧエンコーダ＆デコーダ９２は、ＣＰＵ５０からの制御信号に従って、動画の画像データ及び音声データをＭＰＥＧ形式に従ってエンコード、デコードする。
【００８５】
色変換部９６は、画像を外部表示装置に出力する際（ＶＩＤＥＯ  ＯＵＴ）、輝度信号（Ｙ信号）と色差信号（Ｃｒ信号とＣｂ信号）とからなる画像信号（ＹＣ信号）のＹ信号、Ｃｒ信号、Ｃｂ信号の比を４：４：４から４：２：２に変換する。変換された画像信号は、ＮＴＳＣエンコーダ９８によってＮＴＳＣ方式の映像信号に変換されて外部表示装置に出力される。
【００８６】
外部メモリインタフェイス部（外部メモリＩ／Ｆ）１００は、ＣＰＵ５０からの制御信号に従って、カードスロットに装着された外部メモリ１０２に対してデータの送受信を行う。
【００８７】
外部メモリ１０２は、撮像装置１０に着脱自在な記憶メディアである。この外部メモリ１０２には、ｘＤピクチャカード（登録商標）、スマートメディア（登録商標）等に代表される半導体メモリカードや、可搬型小型ハードディスク、磁気ディスク、光ディスク、光磁気ディスク等の媒体を用いることができる。
【００８８】
なお、本例では外部メモリ１０２に画像データを記録することとしているが、内蔵メモリに記録する構成にすることもできる。
【００８９】
通信インタフェイス部（通信Ｉ／Ｆ）１０４は、ＣＰＵ５０からの制御信号に従って撮像装置１０に接続された外部機器（パソコン等）１０６との間でデータの送受信を行う。この通信方式としては、たとえば、ＵＳＢやIEEE1394、Bluetooth（登録商標）等を採用することができる。
【００９０】
モニタドライバ１０８は、ＣＰＵ５０からの制御信号に従ってモニタ２２を制御するとともに、ＹＣ信号作成部９４から入力された輝度信号及び色差信号をＬＣＤ出力用の信号に変換してモニタ２２に出力する。
【００９１】
内蔵時計８２は、現在日時を計測し、計測した日時情報をＣＰＵ５０からの要求に応じてＣＰＵ５０に出力する。
【００９２】
オーディオ入出力回路１１０は、ＣＰＵ５０からの制御信号に従って、スピーカ１６に出力する音声信号及びマイク４０から入力された音声信号に対して所定の信号処理を施す。
【００９３】
音声データベース１１２は、スピーカ１６から出力するシャッタ音や操作音等の音声データが格納されたデータベースであり、ＲＯＭに格納されている。
【００９４】
なお、このＲＯＭには、音声データベース１１２の他、ＣＰＵ５０が実行する各種プログラムや制御に必要なデータ等が格納されている。
【００９５】
次に、本実施の形態の撮像装置１０の基本的な撮像、再生機能について説明する。
【００９６】
まず、静止画の撮像時における本実施の形態の撮像装置１０の基本動作について説明する。
【００９７】
静止画撮像は、撮像装置１０の動作モードを静止画撮像モードに設定することにより可能になる。
【００９８】
動作モード切替スイッチ１８によって撮像装置１０の動作モードが静止画撮像モードに設定されると、ＣＣＤ５０からスルー表示用の画像信号の取り込みが開始される。
【００９９】
ＣＣＤ５８から出力された画像信号は、ＣＤＳアナログデコーダ６０、ホワイトバランスアンプ６２、ガンマ補正処理部６４で所定の処理が施されたのち、ＹＣ信号作成部９４によって輝度信号と色差信号とからなる画像信号に変換され、モニタドライバ（ＬＣＤドライバ）１０８を介してモニタ２２に出力される。
【０１００】
撮像者は、このモニタ２２にスルー表示された画像（スルー画像）を確認して、構図を決定し、シャッタボタン１４を半押しする。
【０１０１】
シャッタボタン１４が半押しされると、ＣＰＵ５０は、撮像準備として、ＡＥ処理及びＡＦ処理を実施する。
【０１０２】
ＡＥ処理において、ＣＰＵ５０は、分割測光により検出した被写体輝度からＥＶ値を算出する。そして、算出したＥＶ値から本撮像時における撮像感度（ＩＳＯ感度）を決定するとともに（感度ＡＵＴＯ時）、所定のプログラム線図に従って絞り値及びシャッタ速度を決定する。
【０１０３】
また、ＡＦ処理において、ＣＰＵ５０は、たとえば、画像信号のＧ信号の高周波成分が極大になるようにフォーカスレンズを移動させる。
【０１０４】
シャッタボタン１４が半押しされ、ＡＥ処理及びＡＦ処理が行われた後、シャッタボタン１４が全押しされると、ＣＰＵ５０は本撮像の処理を実施する。
【０１０５】
すなわち、まず、ＡＥ処理によって決定した感度、絞り値、シャッタ速度でＣＣＤ５８を露光し、記録用の画像を撮像する。
【０１０６】
なお、この際、ＣＣＤ５８の露光に同期してスピーカ１６からシャッタ音が出力される。このシャッタ音は、特定の撮像条件に応じて変化する。この点については、後に詳述する。
【０１０７】
撮像により得られた画像信号は、ＹＣ信号作成部９４によって輝度信号及び色差信号に変換される。この輝度信号及び色差信号は、圧縮伸張処理部９０によって所定フォーマット（たとえば、ＪＰＥＧ）で圧縮された後、外部メモリ１０２に記録される。
【０１０８】
次に、動画の撮像時における本実施の形態の撮像装置１０の基本動作について説明する。
【０１０９】
動画撮像は、撮像装置１０の動作モードを動画撮像モードに設定することにより可能になる。
【０１１０】
動作モード切替スイッチ１８によって撮像装置１０の動作モードが動画撮像モードに設定されると、静止画撮像時と同様にＣＣＤ５０からスルー表示用の画像信号の取り込みが開始される。
【０１１１】
動画撮像の場合は、シャッタボタン１４の全押しで撮像が開始され、全押し解除後、再度シャッタボタン１４を全押しすると、撮像が終了する。
【０１１２】
シャッタボタン１４が全押しされて、撮像が開始されると、所定のフレームレートで画像が連続的に撮像される。また、マイク４０で音声が録音される。
【０１１３】
ＣＣＤ５０から出力された画像信号は、ＣＤＳアナログデコーダ６０、ホワイトバランスアンプ６２、ガンマ補正処理部６４で所定の処理が施されたのち、ＹＣ信号作成部９４によって輝度信号（Ｙ信号）と色差信号（Ｃｒ信号、Ｃｂ信号）とからなる画像信号（ＹＣ信号）に変換される。
【０１１４】
ＹＣ信号作成部９４によって作成された輝度信号及び色差信号と、マイク４０によって録音された音声信号は、ＭＰＥＧエンコーダ＆デコーダ９２に入力され、ＭＰＥＧ圧縮符号化されて、外部メモリ１０２に記録される。
【０１１５】
次に、画像再生時における本実施の形態の撮像装置１０の基本動作について説明する。
【０１１６】
画像の再生は、撮像装置１０の動作モードを再生モードに設定することにより可能になる。
【０１１７】
動作モード切替スイッチ１８によって撮像装置１０の動作モードが再生モードに設定されると最後に撮像された画像の圧縮データが外部メモリ１０２から読み出される。
【０１１８】
この画像ファイルが静止画ファイルの場合、外部メモリ１０２から読み出された圧縮データは、圧縮伸張処理部９０によって非圧縮のＹＣ信号に伸張された後、モニタ２２に出力されて表示される。
【０１１９】
また、この画像ファイルが動画ファイルの場合、外部メモリ１０２から読み出された圧縮データは、ＭＰＥＧエンコーダ＆デコーダ９２によってデコードされた後、モニタ２２に出力されて表示される。
【０１２０】
画像の再生中に、十字キー３０Ａの右ボタンが操作されると、コマ送りされ、次の画像が外部メモリ１０２から読み出されて、モニタ２２に再生表示される。
【０１２１】
画像の再生中に、十字キー３０Ａの左ボタンが操作されると、コマ戻しされ、一つ前の画像が外部メモリ１０２から読み出されて、モニタ２２に再生表示される。
【０１２２】
次に、本実施の形態の撮像装置１０の特徴部分であるシャッタ音の出力について説明する。
【０１２３】
上記のように、本実施の形態の撮像装置１０では、静止画撮像時、シャッタボタン１４を全押しして、本撮像を指示すると、ＣＣＤ５８の露光に同期してスピーカ１６からシャッタ音が出力される。このシャッタ音は、特定の撮像条件（ＩＳＯ感度、ホワイトバランス、露出補正、絞り、シャッタ速度、ＡＥモード（マニュアルＡＥ／プログラムＡＥ／オートＡＥ／絞り優先ＡＥ／シャッタ速度優先ＡＥ／ポートレート／スポーツ／夜景／スローシンクロ等）等）に応じて変化する。
【０１２４】
図３は、本撮像時のＩＳＯ感度に応じてシャッタ音を変化させる場合のシャッタ音の出力例を示す表である。
【０１２５】
同表に示すように、たとえば、本撮像に設定されたＩＳＯ感度がＩＳＯ１００の時、シャッタ音は「イソ  ヒャク」と出力される。同様に本撮像時に設定されたＩＳＯ感度がＩＳＯ２００の時は「イソ  ニヒャク」、ＩＳＯ４００の時は「イソ  ヨンヒャク」と出力される。すなわち、設定されたＩＳＯ感度が、そのまま音声として出力される（ただし、接頭音の「イソ」は省略してもよい）。
【０１２６】
図４は、本撮像時のホワイトバランス（光源種）の設定に応じてシャッタ音を変化させる場合のシャッタ音の出力例を示す表である。
【０１２７】
同表に示すように、たとえば、本撮像に設定されたホワイトバランスが電球（タングステン光）の時、シャッタ音は「タングステン」と出力される。同様に本撮像時に設定されたホワイトバランスが蛍光灯の時は「ケイコウトウ」、晴天の時は「ハレ」と出力される。すなわち、設定されたホワイトバランスの名称が、そのまま音声として出力される。
【０１２８】
図５は、本撮像時に設定されている露出補正量に応じてシャッタ音を変化させる場合のシャッタ音の出力例を示す表である。
【０１２９】
同表に示すように、たとえば、本撮像時に設定された露出補正量が±０の場合、シャッタ音は「ゼロ  イーブイ」と出力される。同様に本撮像時に設定された露出補正量が＋１の時は「プラス  イチ  イーブイ」、−１の時は「マイナス  イチ  イーブイ」と出力される。すなわち、設定された露出補正量が、そのまま音声として出力される（ただし、接尾音の「イーブイ」は省略してもよい。）。
【０１３０】
図６は、本撮像時に設定されている絞り値に応じてシャッタ音を変化させる場合のシャッタ音の出力例を示す表である。
【０１３１】
同表に示すように、たとえば、本撮像時に設定された絞り値（ｆ値）がｆ１．４の場合、シャッタ音は「エフ  イチテンヨン」と出力される。同様に本撮像時に設定された絞り値がｆ２の時は「エフ  ニ」、ｆ４の時は「エフ  ヨン」と出力される。すなわち、設定された絞り値が、そのまま音声として出力される（ただし、接頭音の「エフ」は省略してもよい。）。
【０１３２】
図７は、本撮像時に設定されているシャッタ速度に応じてシャッタ音を変化させる場合のシャッタ音の出力例を示す表である。
【０１３３】
同表に示すように、たとえば、本撮像時に設定されたシャッタ速度が１／２秒の場合、シャッタ音は「ニブンノイチ  ビョウ」と出力される。同様に本撮像時に設定されたシャッタ速度が１秒の時は「イチ  ビョウ」、バルブ撮像の時は「バルブ」と出力される。すなわち、設定されたシャッタ速度が、そのまま音声として出力される（ただし、接尾音の「ビョウ」は省略してもよい。）。
【０１３４】
図８は、本撮像時に設定されているＡＥモードに応じてシャッタ音を変化させる場合のシャッタ音の出力例を示す表である。
【０１３５】
同表に示すように、たとえば、本撮像時に設定されたＡＥモードがプログラムＡＥの場合、シャッタ音は「プログラム」と出力される。同様に本撮像時に設定されたＡＥモードがＡＵＴＯの時は「オート」、絞り優先ＡＥ（ＡＶ）の時は「シボリユウセン」と出力される。すなわち、設定されたＡＥモードの名称が、そのまま音声として出力される。
【０１３６】
このように、本実施の形態の撮像装置１０では、本撮像時に特定の撮像条件に応じたシャッタ音が出力される（接尾音に「モード」を付けてもよい。）。
【０１３７】
音声データベース１１２には、各撮像条件のシャッタ音の音声データが、各撮像条件の設定値に関連づけられて記録されている。ＣＰＵ５０は、この音声データベース１１２にアクセスし、撮像条件の設定値の情報から対応するシャッタ音の音声データを取得する。
【０１３８】
なお、いずれの撮像条件に応じてシャッタ音を出力させるかは、ユーザが任意に選択できるようにされている。この選択操作は、たとえば、メニュー画面で行われる。すなわち、メニューボタン２６を押下して、モニタ２２にメニュー画面を呼び出すと、そのメニュー項目の一つにシャッタ音の選択メニューが用意されており、いずれの撮像条件に応じてシャッタ音を変化させるかが選択できるようにされている。なお、この画面では、通常のシャッタ音（たとえば、パシャ等）の選択やシャッタ音のオフの選択もできるようにされている。
【０１３９】
図９は、撮像条件に応じたシャッタ音の出力処理の手順を示すフローチャートである。
【０１４０】
まず、ＣＰＵ５０は、操作部５２からの入力に基づいてシャッタボタン１４が半押しされたか否かを判定する（ステップＳ１０）。
【０１４１】
シャッタボタン１４が半押しされたと判定すると、撮像準備を行う（ステップＳ１１）。すなわち、ＡＥ、ＡＦ、ＡＷＢの各処理を行う。
【０１４２】
撮像準備が完了すると、シャッタ音を出力するために必要な撮像条件の情報を取得する（ステップＳ１２）。ここで、たとえば、ＩＳＯ感度に応じてシャッタ音を出力する場合には、本撮像時におけるＩＳＯ感度の情報を取得し、ホワイトバランスに応じてシャッタ音を出力する場合は、ホワイトバランスの設定情報を取得する。
【０１４３】
シャッタ音を鳴らすために必要な撮像条件の情報を取得すると、ＣＰＵ５０は、音声データベース１１２にアクセスし、取得した撮像条件に対応するシャッタ音の音声データを検索する。たとえば、ＩＳＯ感度に応じてシャッタ音を出力する場合において、本撮像時のＩＳＯ感度が１００に設定されている場合、ＩＳＯ感度１００に対応したシャッタ音の音声データを音声データベース１１２から検索する。そして、検索された音声データを取得する。
【０１４４】
このようにしてシャッタ音の音声データを取得すると、ＣＰＵ５０は、操作部５２からの入力に基づいて、シャッタボタン１４の半押しが解除されたか否かを判定する（ステップＳ１４）。そして、シャッタボタン１４の半押しが解除されたと判定すると、シャッタボタン１４が全押しされたか否かを判定する（ステップＳ１５）。
【０１４５】
ここで、シャッタボタン１４が全押しされていないと判定すると、ＣＰＵ５０は、ステップＳ１０に戻り、再度、操作部５２からの入力に基づいて、シャッタボタン１４が半押しされたか否かを判定する。
【０１４６】
一方、シャッタボタン１４が全押しされたと判定すると、ＣＰＵ５０は、本撮像の処理を行う（ステップＳ１６）。すなわち、ＡＥの結果求めた、絞り値とシャッタ速度でＣＣＤを露光し、記録用の画像を取得する。
【０１４７】
また、この本撮像と同時に取得した音声データを再生処理し、ＣＣＤの露光に同期させて、スピーカ１６から出力させる（ステップＳ１７）。
【０１４８】
たとえば、ＩＳＯ感度に応じてシャッタ音を出力する場合において、ＩＳＯ感度が１００の場合、「イソ  ヒャク」の音声がシャッタ音としてスピーカ１６から出力される。
【０１４９】
ＣＰＵ５０は、撮像により得られた画像データに各種信号処理を施して、外部メモリ１０２に記録する（ステップＳ１８）。
【０１５０】
この後、ＣＰＵ５０は、操作部５２からの入力に基づいて電源がオフされたか否かを判定する（ステップＳ１９）。電源がオフされていない場合は、ステップＳ１０に戻り、上記の処理を再度実行する。一方、電源がオフされたと判定すると、処理を終了する。
【０１５１】
このように、本実施の形態の撮像装置１０では、撮像時に撮像条件に応じたシャッタ音がスピーカ１６から出力される。これにより、撮像条件を音で把握することができ、この音から撮像の成否を直感的に把握することができる。すなわち、たとえば、暗い状況の中、ＩＳＯ１００等の低感度で撮像した場合には、手ブレの発生が予測できるので、シャッタ音からその場で撮像の成否を判別することができる。同様にシャッタ速度が遅い場合には、手ブレの発生が予測できるので、シャッタ音からその場で撮像の成否を判別することができる。
【０１５２】
特にＡＥモードとして、オートモード等を選択している場合、撮像者は、シャッタ速度や絞り値、ＩＳＯ感度等を気にしないで撮像している場合が多いので、本例のように、撮像時に音声で告知されることにより、撮像の成否を早期に認識することができる。そして、失敗した場合には、撮り直し等の対応を迅速に行うことができ、シャッタチャンスを逃すのを防止することができる。
【０１５３】
また、自らＩＳＯ感度やシャッタ速度等を設定している場合（マニュアルモード時等）も、撮像時に音声で撮像条件が告知されるので、正しく撮像されていることを確認でき、安心して効率よく撮像を行うことができる。
【０１５４】
また、シャッタ音として出力されるので、撮像が行われたことの確認も同時に行うことができる。
【０１５５】
また、このように音で各種情報が出力されることにより、目の不自由な人にも使い勝手のよい撮像装置を提供することができる。
【０１５６】
なお、本例では、いずれか一つの撮像条件に応じたシャッタ音を出力させるようにしているが、複数の撮像条件に応じたシャッタ音を出力するようにしてもよい。たとえば、ＩＳＯ感度とシャッタ速度に応じたシャッタ音を出力させるようにしてもよい。この場合、たとえば、シャッタ音としては、ＩＳＯ感度とシャッタ速度の設定値を順に読み上げるようにする。たとえば、ＩＳＯ感度がＩＳＯ１００、シャッタ速度が１／２秒の場合、シャッタ音は、「イソ  ヒャク  ニブンノイチ  ビョウ」と出力する。ＩＳＯ感度とシャッタ速度と絞り値に応じたシャッタ音を出力させる場合も同様に各設定値を順に読み上げるように構成する。
【０１５７】
また、本実施の形態では、各撮像条件の設定値の内容をそのまま音声で読み上げてシャッタ音としているが、シャッタ音の種類は、これに限定されるものではない。すなわち、各撮像条件を区別でき、かつ、その設定値を区別できれば、シャッタ音の種類は問われない。
【０１５８】
たとえば、図１０に示すように、同じ音声で設定値に応じて出力を歪ませる（ノイズ成分を付加）ようにしてもよい。同図に示す例では、ＩＳＯ１００の時のシャッタ音を基準とし、感度が高くなるに従って音声を歪ませている。すなわち、「キーン」という音声を基準とし、感度高くなるに従って音声を段階的に歪ませて出力させるようにしている（「キーン」から「ギーン」まで段階的に歪ませて出力させている。）。
【０１５９】
この場合、ＩＳＯ感度の各設定値に対してシャッタ音を用意しておいてもよいが、標準となるシャッタ音を１つ用意しておき、これを設定値に応じて歪ませ出力するようにしてもよい。これにより、記録すべきデータ量を削減することができる。
【０１６０】
図１１は、ＩＳＯ感度の設定値に応じてシャッタ音を歪ませて出力する場合の処理の手順を示すフローチャートである。
【０１６１】
まず、ＣＰＵ５０は、操作部５２からの入力に基づいてシャッタボタン１４が半押しされたか否かを判定する（ステップＳ２０）。
【０１６２】
シャッタボタン１４が半押しされたと判定すると、撮像準備を行う（ステップＳ２１）。
【０１６３】
撮像準備が完了すると、ＣＰＵ５０は、設定された本撮像時のＩＳＯ感度の情報を取得する（ステップＳ２２）。
【０１６４】
本撮像時のＩＳＯ感度の情報を取得すると、ＣＰＵ５０は、取得したＩＳＯ感度に応じたシャッタ音の歪み量を算出する（ステップＳ２３）。すなわち、標準のシャッタ音を歪ませる量（ノイズ成分を付加する量）を算出する。
【０１６５】
なお、ここでは、ＩＳＯ感度がＩＳＯ１００の時のシャッタ音を標準のシャッタ音とし、このシャッタ音をＩＳＯ感度が高くなるに従って多く歪ませるものとする。したがって、ＩＳＯ感度が高くなるに従い、歪み量が高く設定される。
【０１６６】
歪み量が算出されると、ＣＰＵ５０は、音声データベース１１２から標準のシャッタ音の音声データ（ＩＳＯ感度１００のシャッタ音の音声データ）を読み出し、その標準のシャッタ音の音声データを加工して、本撮像時に出力するシャッタ音の音声データを生成する（ステップＳ２４）。すなわち、算出された歪み量で標準のシャッタ音の音声データを歪ませて、本撮像時に出力するシャッタ音の音声データを生成する。
【０１６７】
このようにして本撮像時に出力するシャッタ音の音声データが生成されると、ＣＰＵ５０は、操作部５２からの入力に基づいて、シャッタボタン１４の半押しが解除されたか否かを判定する（ステップＳ２５）。そして、シャッタボタン１４の半押しが解除されたと判定すると、シャッタボタン１４が全押しされたか否かを判定する（ステップＳ２６）。
【０１６８】
ここで、シャッタボタン１４が全押しされていないと判定すると、ＣＰＵ５０は、ステップＳ２０に戻り、再度、操作部５２からの入力に基づいて、シャッタボタン１４が半押しされたか否かを判定する。
【０１６９】
一方、シャッタボタン１４が全押しされたと判定すると、ＣＰＵ５０は、本撮像の処理を行う（ステップＳ２７）。
【０１７０】
また、この本撮像と同時に生成したシャッタ音の音声データを再生処理し、ＣＣＤの露光に同期させて、スピーカ１６から出力させる（ステップＳ２８）。
【０１７１】
ＣＰＵ５０は、撮像により得られた画像データに各種信号処理を施して、外部メモリ１０２に記録する（ステップＳ２９）。
【０１７２】
この後、ＣＰＵ５０は、操作部５２からの入力に基づいて電源がオフされたか否かを判定する（ステップＳ３０）。電源がオフされていない場合は、ステップＳ２０に戻り、上記の処理を再度実行する。一方、電源がオフされたと判定すると、処理を終了する。
【０１７３】
このように、ＩＳＯ感度の設定値に応じて標準となるシャッタ音（ＩＳＯ１００の時のシャッタ音）を歪ませて、シャッタ音を変えるようにしてもよい。
【０１７４】
なお、本例では、ＩＳＯ感度の設定値に応じてシャッタ音を歪ませて変える例で説明したが、他の撮像条件についても、その設定値に応じてシャッタ音を歪ませて変えるようにしてもよい。すなわち、露出補正量や絞り値、シャッタ速度の設定値に応じて、シャッタ音を歪ませて変えるようにしてもよい。
【０１７５】
たとえば、露出補正量に応じてシャッタ音を変える場合、±０ＥＶの時のシャッタ音を標準のシャッタ音とし、このシャッタ音を露出補正量に応じて歪ませて変えるようにしてもよい。
【０１７６】
また、絞り値の場合は、Ｆ１．４時のシャッタ音を標準のシャッタ音とし、このシャッタ音を設定された絞り値に応じて歪ませて変えるようにしてもよい。
【０１７７】
また、シャッタ速度の場合は、１／６０秒の時のシャッタ音を標準のシャッタ音とし、このシャッタ音を設定されたシャッタ速度に応じて歪ませて変えるようにしてもよい。
【０１７８】
なお、標準のシャッタ音は、撮像条件ごとに用意しておく。
【０１７９】
また、本例では、シャッタ音の加工処理をＣＰＵ５０がソフト的に行っているが、図１２に示すように、シャッタ音の加工処理を行う音声データ加工部１１４を設け、ハードウェアで処理するようにしてもよい。なお、同図に示す音声データ加工部１１４は、ＣＰＵ５０からの制御信号に従って、標準のシャッタ音の音声データを加工し、本撮像時に出力するシャッタ音を生成する。
【０１８０】
また、上記の例では、標準のシャッタ音を歪ませて（ノイズ成分を付加して）、各撮像条件の設定値に応じてシャッタ音を変えるようにしているが、この他、標準のシャッタ音の音程を変えることにより、各撮像条件の設定値に応じてシャッタ音を変えるようにしてもよい。
【０１８１】
また、標準のシャッタ音を歪ませたシャッタ音を生成する際、まず、あらかじめ用意された標準のノイズ音を撮像条件の設定値に応じて歪ませ、この歪ませた標準のノイズ音を標準のシャッタ音に合成して、本撮像時に出力させるシャッタ音を生成するようにしてもよい。
【０１８２】
なお、本例では特定の撮像条件の情報のみをシャッタ音に反映させているが、さらに他の情報も付加してシャッタ音を出力させるようにしてもよい。たとえば、撮像された画像に対してノイズを除去する機能（いわゆるノイズリダクション機能）が、撮像装置１０に備えられている場合には、その設定の有無の情報を更に付加してシャッタ音を出力させるようにしてもよい。
【０１８３】
図１３は、ＩＳＯ感度の情報に対して更にノイズ除去の有無の情報を付加してシャッタ音を出力する場合のシャッタ音の出力例を示す表である。
【０１８４】
同表に示すように、ノイズ除去なしの場合、設定されたＩＳＯ感度が、そのまま音声として出力される。一方、ノイズ除去ありの場合、設定されたＩＳＯ感度の音声の後に「アリ」の音声が付加されて出力される。
【０１８５】
たとえば、設定されたＩＳＯ感度がＩＳＯ１００の場合であって、ノイズ除去なしの場合、シャッタ音は「イソ  ヒャク」と出力される。一方、ノイズ除去ありの場合、シャッタ音は「イソ  ヒャク  アリ」と出力される。
【０１８６】
同様に設定されたＩＳＯ感度がＩＳＯ２００の場合であって、ノイズ除去なしの場合、シャッタ音は「イソ  ニヒャク」と出力され、ノイズ除去ありの場合、シャッタ音は「イソ  ニヒャク  アリ」と出力される。
【０１８７】
このように、ノイズ除去ありの場合、設定されたＩＳＯ感度の音声の後に「アリ」の音声が付加されて出力される。
【０１８８】
設定されたＩＳＯ感度に応じて標準のシャッタ音を歪ませて出力する場合も同様であり、ノイズ除去ありの場合は、歪ませたシャッタ音の後に「アリ」の音声が付加されて出力される。
【０１８９】
なお、ノイズ除去ありの場合となしの場合とで、シャッタ音自体を変えるようにしてもよい。
【０１９０】
たとえば、図１４に示すように、ノイズ除去ありの場合となしの場合とで、シャッタ音自体を変えるようにしてもよい。同図に示す例では、ノイズ除去なしの時の標準のシャッタ音（ＩＳＯ１００の時のシャッタ音「キーン」）と、ノイズ除去ありの時の標準のシャッタ音（ＩＳＯ１００の時のシャッタ音「シャキン」）とを用意し、この標準のシャッタ音をＩＳＯ感度の設定値に応じて歪ませている。
【０１９１】
このように、ノイズ除去ありの場合となしの場合とで、シャッタ音自体を変えることによっても、ＩＳＯ感度の情報に加えて、ノイズ除去あり／なしの情報を音として直感的に把握することができる。
【０１９２】
なお、ノイズ除去処理は、撮像条件に基づいて自動的に行われるようにしてもよいし（たとえば、ＩＳＯ感度に応じて実行する）、そのＯＮ／ＯＦＦをユーザが任意に設定できるようにしてもよい（たとえば、メニュー画面で設定）。自動的に行われる場合は、その実行の有無を撮像時に音声で認識できるので、特に有効に作用する。
【０１９３】
なお、画像のノイズ除去処理自体は公知の技術であるので、その具体的な処理の内容についての説明は省略する。また、この処理はソフトウェアで行ってもよいし、また、専用の回路を設けて、ハードウェアで処理するようにしてもよい。
【０１９４】
また、本実施の形態では、特定の撮像条件をユーザが選択することとしているが、ＡＥモード等に応じて自動で切り替わるようにしてもよい。たとえば、図１５に示すように、絞り優先ＡＥモード時には絞り値に応じて、シャッタ速度優先ＡＥモード時には、シャッタ速度に応じてシャッタ音が変化するようにしてもよい（他のＡＥモード時には、たとえば、ユーザが選択した撮像条件、あるいは、通常のシャッタ音とする。）。これにより、より使い勝手が向上する。
【０１９５】
なお、この設定をユーザが任意に設定できるようにすることが好ましい。すなわち、特定の撮像条件が自動で切り替わる設定と、ユーザが手動で選択する設定とをユーザが任意に選択して設定できるようにすることが好ましい。
【０１９６】
また、上記実施の形態では、各撮像条件について使用するシャッタ音があらかじめ用意されているものとしたが、各撮像条件について使用するシャッタ音をユーザが任意に設定できるようにしてもよい。この場合、あらかじめ使用可能な音源を複数用意しておき、各撮像条件について使用するシャッタ音をユーザが任意に設定できるようにしてもよいし、また、各撮像条件について使用するシャッタ音をユーザが作成できるようにしてもよい。
【０１９７】
標準のシャッタ音を変化させて使用する場合も、標準のシャッタ音を任意にユーザが選択できるようにすることが好ましい。
【０１９８】
また、本実施の形態の撮像装置では、撮像条件を含む各種設定をメニュー画面で行うようにしているが、専用の操作ボタン等を設けて、設定するようにしてもよい。
【０１９９】
＜第２の実施の形態＞
上記第１の実施の形態の撮像装置では、静止画撮像時に特定の撮像条件の情報をシャッタ音に反映させることにより、本撮像時の撮像条件、及び、本撮像が行われたことを音で把握できるようにした。
【０２００】
第２の実施の形態の撮像装置では、動画撮像時に動画の撮像開始、及び、撮像終了を示す音声を出力することにより、動画の撮像が行われことを音で確認できるようにする。
【０２０１】
なお、装置構成自体は、上記第１の実施の形態の撮像装置と同じなので、ここでは、動画撮像時における音声の出力処理の手順についてのみ説明する。
【０２０２】
上記のように、動画の撮像開始は、シャッタボタン１４の全押しで指示され、このシャッタボタン１４の全押し解除後、再度、シャッタボタン１４を全押しすると、撮像終了が指示される。
【０２０３】
本実施の形態の撮像装置では、この動画の撮像開始が指示されると、「アクション」の音声がスピーカ１６から出力され、撮像終了が指示されると、「カット」の音声がスピーカ１６から出力される。また、動画撮像モードに設定されると、「スタンバイ」の音声が出力される。なお、これらの音声の音声データは、音声データベース１１２に格納されているものとする。
【０２０４】
図１６は、動画撮像時における音声出力の処理の手順を示すフローチャートである。
【０２０５】
まず、ＣＰＵ５０は、操作部５２の入力に基づいて撮像装置の動作モードが動画撮像モードに設定されたか否かを判定する（ステップＳ４０）。
【０２０６】
撮像装置の動作モードが動画撮像モードに設定されたと判定すると、動画撮像モードの撮像準備ＯＫを示す音声をスピーカ１６から出力する（ステップＳ４１）。すなわち、撮像準備ＯＫに対応した音声データを音声データベース１１２から読み出し、オーディオ入出力回路１１０を介してスピーカ１６から出力する。この場合、「スタンバイ」の音声がスピーカ１６から出力される。撮像者は、この「スタンバイ」の音声を聞くことにより、撮像準備が完了したことを認識する。
【０２０７】
この後、ＣＰＵ５０は、操作部５２からの入力に基づいてシャッタボタン１４が全押しされたか否かを判定する（ステップＳ４２）。そして、シャッタボタン１４が全押しされたと判定すると、撮像開始が指示されたと判断し、撮像開始を示す音声をスピーカ１６から出力する（ステップＳ４３）。すなわち、撮像開始に対応した音声データを音声データベース１１２から読み出し、オーディオ入出力回路１１０を介してスピーカ１６から出力する。この場合、「アクション」の音声がスピーカ１６から出力される。撮像者は、この「アクション」の音声を聞くことにより、動画撮像が開始されたことを認識する。
【０２０８】
ＣＰＵ５０は、「アクション」の音声の出力後、動画の撮像処理を開始する（ステップＳ４４）。
【０２０９】
動画の撮像処理の開始後、ＣＰＵ５０は、操作部５２からの入力に基づいてシャッタボタン１４が全押しされたか否かを判定する（ステップＳ４５）。そして、シャッタボタン１４が全押しされたと判定すると、撮像終了が指示されたと判断し、撮像処理を終了する（ステップＳ４６）。
【０２１０】
撮像処理が終了されると、ＣＰＵ５０は、撮像の終了を示す音声をスピーカ１６から出力する（ステップＳ４７）。すなわち、撮像終了に対応した音声データを音声データベース１１２から読み出し、オーディオ入出力回路１１０を介してスピーカ１６から出力する。この場合、「カット」の音声がスピーカ１６から出力される。撮像者は、この「カット」の音声を聞くことにより、動画撮像が終了されたことを認識する。
【０２１１】
この後、ＣＰＵ５０は、操作部５２からの入力に基づいて、電源がオフされたか否を判定する（ステップＳ４８）。電源がオフされていないと判定すると、ステップＳ４０に戻り、電源がオフされたと判定すると、処理を終了する。
【０２１２】
このように、本実施の形態の撮像装置では、動画の撮像開始時に撮像開始を示す音声（「アクション」）がスピーカ１６から出力されるとともに、撮像終了時に撮像終了を示す音声（「カット」）が出力されるので、撮像開始と終了のタイミングを音で直感的に把握することができ、安心して撮像を行うことができる。また、これにより、目の不自由な人にも使い勝手のよい撮像装置を提供することができる。
【０２１３】
なお、上記の例では、撮像開始時と撮像終了時にのみ音声が出力されるようにしているが、撮像中にも撮像中であることを示す音声を出力するようにしてもよい。たとえば、一定の周期で「カタカタカタ」という音声（映写機のフィルムの回転音）を出力する。
【０２１４】
ただし、このような音声を撮像中にスピーカ１６から出力すると、出力した音声がマイク４０に拾われて、動画中に記録されてしまうので、撮像中にも撮像中であることを示す音声を出力する場合には、出力した音声の成分をマイク４０で集音された音声から取り除く処理を行うことが好ましい。すなわち、スピーカ４０から出力する音声の成分は既知であるので、その音声と逆位相の成分をマイク４０で集音された音声に加えることにより、あるいは、その音声の成分をマイク４０で集音された音声から差し引くことにより、スピーカ４０から出力した音声を取り除くことが好ましい（いわゆるノイズキャンセリング）。
【０２１５】
図１７は、ノイズキャンセリング機能を備えた撮像装置の内部構成を示すブロック図である。
【０２１６】
同図に示すように、この撮像装置１０は、ノイズキャンセリング処理を行うノイズキャンセリング処理部１１６を備えている。このノイズキャンセリング処理部１１６は、ＣＰＵ５０からの制御信号に従って、マイク４０で集音された音声のデータを取り込み、スピーカ１６から出力した音声と逆位相の成分を加えて、スピーカ４０から出力した音声の成分を除去する。
【０２１７】
動画撮像時には、このスピーカ４０から出力した音声の成分を除去した音声が記録される。
【０２１８】
図１８は、撮像中であることを示す音声を出力しながら動画を撮像する場合の処理の手順を示すフローチャートである。
【０２１９】
まず、ＣＰＵ５０は、操作部５２の入力に基づいて撮像装置の動作モードが動画撮像モードに設定されたか否かを判定する（ステップＳ５０）。
【０２２０】
撮像装置の動作モードが動画撮像モードに設定されたと判定すると、動画撮像モードの撮像準備ＯＫを示す音声（「スタンバイ」）をスピーカ１６から出力する（ステップＳ５１）。
【０２２１】
この後、ＣＰＵ５０は、操作部５２からの入力に基づいてシャッタボタン１４が全押しされたか否かを判定する（ステップＳ５２）。そして、シャッタボタン１４が全押しされたと判定すると、撮像開始が指示されたと判断し、撮像開始を示す音声（「アクション」）をスピーカ１６から出力する（ステップＳ５３）。
【０２２２】
ＣＰＵ５０は、「アクション」の音声の出力後、動画の撮像処理を開始する（ステップＳ５４）。
【０２２３】
動画の撮像処理の開始後、ＣＰＵ５０は、動画撮像中であることを示す音声をスピーカ１６から出力する（ステップＳ５５）。すなわち、撮像中に対応した音声データを音声データベース１１２から読み出し、オーディオ入出力回路１１０を介してスピーカ１６から出力する。この場合、一定周期で「カタカタカタ」の音声がスピーカ１６から出力される。撮像者は、この「カタカタカタ」の音声を聞くことにより、動画の撮像中であることを認識する。
【０２２４】
一方、ＣＰＵ５０は、このようにスピーカ１６から出力した音声の成分をマイク４０で集音された音声から取り除く（ステップＳ５６）。すなわち、マイク４０で集音された音声をデータをノイズキャンセリング処理部１１６に加えて、スピーカ１６から出力した音声の成分を除去する（ノイズキャンセリング）。これにより、動画として映像と共に記録される音声には、このスピーカ１６から出力した音声の成分を除去した音声が記録される。
【０２２５】
このように、ＣＰＵ５０は、ノイズキャンセリングの処理を行いながら動画の撮像を行う。そして、操作部５２からの入力に基づいてシャッタボタン１４が全押しされたか否かを判定する（ステップＳ５７）。
【０２２６】
シャッタボタン１４が全押しされていないと判定すると、ステップＳ５５に戻り、音声の出力と撮像を継続する。
【０２２７】
一方、シャッタボタン１４が全押しされたと判定すると、撮像終了が指示されたと判断し、撮像処理を終了する（ステップＳ５８）。そして、撮像の終了を示す音声（「カット」）をスピーカ１６から出力する（ステップＳ５９）。
【０２２８】
この後、ＣＰＵ５０は、操作部５２からの入力に基づいて、電源がオフされたか否を判定する（ステップＳ６０）。電源がオフされていないと判定すると、ステップＳ４０に戻り、電源がオフされたと判定すると、処理を終了する。
【０２２９】
このように、本実施の形態の撮像装置では、動画の撮像開始時と撮像終了時の他、撮像中も撮像中であることを示す音声（「カタカタカタ」）がスピーカ１６から出力される。これにより、撮像中であることを音で直感的に把握することができ、安心して撮像を行うことができる。また、これにより、目の不自由な人にも使い勝手のよい撮像装置を提供することができる。
【０２３０】
また、動画として映像と共に記録される音声には、撮像中にスピーカ１６から出力された音声が除去された音声が記録されるので、不要な音声が撮像した動画に記録されることがない。
【０２３１】
なお、上記実施の形態では、動画撮像中、常に撮像中であることを示す音声が出力されるように構成されているが、この音声の出力をユーザが任意にＯＮ／ＯＦＦできるようにすることが好ましい。同様に撮像開始を示す音声と撮像終了を示す音声の出力をユーザが任意にＯＮ／ＯＦＦできるようにすることが好ましい。この場合、各項目のＯＮ／ＯＦＦを個別に設定できるようにすることが好ましい。すなわち、撮像開始を示す音声のみを出力させたり、撮像中であることを示す音声のみを出力させたりすることをユーザが任意に設定できるようにすることが好ましい。
【０２３２】
また、上記実施の形態では、動画撮像モードに設定されると、撮像準備ＯＫを示す音声（「スタンバイ」）が出力されるようにしているが、この音声の出力についても任意にＯＮ／ＯＦＦできるようにすることが好ましい。
【０２３３】
また、動画の撮像モードを選択できる場合には、この撮像準備ＯＫを示す音声の出力時に選択されているモードの音声を出力するようにしてもよい。たとえば、動画の撮像モードとして、画像サイズやフレームレートを選択できる場合、撮像準備ＯＫを示す音声として、選択されている画像サイズやフレームレートの情報を音声で読み上げるようにしてもよい。
【０２３４】
たとえば、画像サイズとして、ＶＧＡ、ＱＶＧＡ、ＨｉＶｉｓｉｏｎを選択できる場合、撮像準備ＯＫを示す音声として、それぞれ「ブイジーエーモード  スタンバイ」、「キューブイジーエーモード  スタンバイ」、「ハイビジョンモード  スタンバイ」の音声を出力するように構成する。
【０２３５】
また、フレームレートとして、１５ｆｐｓ、３０ｆｐｓが選択できる場合、撮像準備ＯＫを示す音声として、それぞれ「フレームレートジューゴモード  スタンバイ」、「フレームレートサンジュウモード  スタンバイ」の音声を出力するように構成する。
【０２３６】
なお、画像サイズとフレームレートの双方の情報を音声で出力するようにしてもよい。
【０２３７】
また、上記実施の形態では、出力する音声が、あらかじめ決められているが、出力する音声をユーザが任意に選択できるようにすることが好ましい。たとえば、図１９の表に示すように、出力する音声を二種類用意しておき、いずれか一方をユーザが選択できるようにする。あるいは、各項目について使用する音声をユーザが任意に選択できるようにする。なお、この場合、設定処理や選択処理は、たとえば、メニュー画面で行う。
【０２３８】
なお、本実施の形態の撮像装置の機能、すなわち、動画撮像時に音声を出力する機能を第１の実施の形態の撮像装置に備えることもできる。
【０２３９】
＜第３の実施の形態＞
本実施の形態の撮像装置では、特定の撮像条件の設定が切り替えられると、その撮像条件の設定に応じた音声がスピーカから出力される。なお、装置構成自体は、上記第１の実施の形態の撮像装置と同じなので、ここでは、この音声の出力処理の手順についてのみ説明する。
【０２４０】
たとえば、撮像者がＩＳＯ感度の設定をＩＳＯ１００からＩＳＯ２００に切り替えたとする。この場合、スピーカ１６から「イソ  ニヒャク」という音声が出力される。
【０２４１】
また、たとえば、撮像者が＋１ＥＶの露出補正を行ったとする。この場合、スピーカ１６から「プラスイチ  イーブイ」という音声が出力される。
【０２４２】
このように、本実施の形態の撮像装置では、特定の撮像条件の設定が切り替えられると、その切り替えられた撮像条件の設定値に対応した音声がスピーカ１６から出力される。
【０２４３】
図２０は、ＩＳＯ感度の切り替えに応じて切替音を出力する場合の切替音の出力例を示す表である。
【０２４４】
同表に示すように、たとえば、ＩＳＯ感度がＩＳＯ１００に切り替えられた時、切替音として「イソ  ヒャク」という音声がスピーカ１６から出力される。同様にＩＳＯ感度がＩＳＯ２００に切り替えられた時は「イソ  ニヒャク」、ＩＳＯ４００に切り替えられた時は「イソ  ヨンヒャク」という音声がスピーカ１６から出力される。すなわち、新たに設定されたＩＳＯ感度が、そのまま音声として出力される（ただし、接頭音の「イソ」は省略してもよい）。
【０２４５】
図２１は、ホワイトバランス（光源種）の設定の切り替えに応じて切替音を出力する場合の切替音の出力例を示す表である。
【０２４６】
同表に示すように、たとえば、ホワイトバランスの設定が電球（タングステン光）に切り替えられると、切替音として「タングステン」の音声がスピーカ１６から出力される。同様にホワイトバランスの設定が蛍光灯に切り替えられた時は「ケイコウトウ」、晴天に切り替えられた時は「ハレ」という音声がスピーカ１６から出力される。すなわち、新たに設定されたホワイトバランスの名称が、そのまま音声として出力される。
【０２４７】
図２２は、露出補正に応じて切替音を出力する場合の切替音の出力例を示す表である。
【０２４８】
同表に示すように、たとえば、露出補正量が±０に切り替えられると、切替音として「ゼロ  イーブイ」の音声がスピーカ１６から出力される。同様に露出補正量が＋１に切り替えられた時は「プラス  イチ  イーブイ」、−１に切り替えられた時は「マイナス  イチ  イーブイ」という音声がスピーカ１６から出力される。すなわち、新たに設定された露出補正量が、そのまま音声として出力される（ただし、接尾音の「イーブイ」は省略してもよい。）。
【０２４９】
図２３は、絞り値の切り替えに応じて切替音を出力する場合の切替音の出力例を示す表である。
【０２５０】
同表に示すように、たとえば、絞り値（ｆ値）がｆ１．４に切り替えられた場合、切替音として「エフ  イチテンヨン」という音声がスピーカ１６から出力される。同様に絞り値がｆ２に切り替えられた時は「エフ  ニ」、ｆ４に切り替えられた時は「エフ  ヨン」という音声がスピーカ１６から出力される。すなわち、新たに設定された絞り値が、そのまま音声として出力される（ただし、接頭音の「エフ」は省略してもよい。）。
【０２５１】
図２４は、シャッタ速度の切り替えに応じて切替音を出力する場合の切替音の出力例を示す表である。
【０２５２】
同表に示すように、たとえば、シャッタ速度が１／２秒に切り替えられた場合、切替音として「ニブンノイチ  ビョウ」という音声がスピーカ１６から出力される。同様にシャッタ速度が１秒に切り替えられた時は「イチ  ビョウ」、バルブ撮像に切り替えられた時は「バルブ」という音声がスピーカ１６から出力される。すなわち、新たに設定されたシャッタ速度が、そのまま音声として出力される（ただし、接尾音の「ビョウ」は省略してもよい。）。
【０２５３】
図２５は、ＡＥモードの切り替えに応じて切替音を出力する場合の切替音の出力例を示す表である。
【０２５４】
同表に示すように、たとえば、ＡＥモードがプログラムＡＥに切り替えられた場合、切替音として「プログラム」という音声がスピーカ１６から出力される。同様にＡＥモードがＡＵＴＯに切り替えられた時は「オート」、絞り優先ＡＥ（ＡＶ）に切り替えられた時は「シボリユウセン」という音声がスピーカ１６から出力される。すなわち、新たに設定されたＡＥモードの名称が、そのまま音声として出力される。
【０２５５】
このように、本実施の形態の撮像装置では、特定の撮像条件の設定が切り替えられると、その切り替えられた撮像条件の設定値に対応した音声が切替音としてスピーカ１６から出力される。
【０２５６】
音声データベース１１２には、各撮像条件について設定された切替音の音声データが、各撮像条件の設定値に関連づけられて記録されている。
【０２５７】
撮像条件の切り替えが行われると、ＣＰＵ５０は、この音声データベース１１２にアクセスし、切り替えられた撮像条件の新たな設定値に対応する切替音の音声データを取得する。そして、取得した音声データをオーディオ入出力回路１１０を介してスピーカ１６から出力する。
【０２５８】
図２６は、撮像条件の切り替えに応じて切替音を出力する場合の処理の手順を示すフローチャートである。
【０２５９】
まず、ＣＰＵ５０は、操作部５２からの入力に基づいて特定の撮像条件（切替音を発生させる撮像条件）が切り替えられたか否かを判定する（ステップＳ７０）。
【０２６０】
特定の撮像条件の切り替えが行われたと判定すると、ＣＰＵ５０は、その切り替えられた撮像条件の新たな設定値の情報を取得する（ステップＳ７１）。そして、音声データベース１１２にアクセスし、取得した撮像条件の新たな設定値に対応する切替音の音声データを検索し、検索された音声データを取得する（ステップＳ７２）。たとえば、ＩＳＯ感度がＩＳＯ１００からＩＳＯ２００に切り替えられた場合、新たに切り替えられたＩＳＯ２００の切替音の音声データを音声データベース１１２から検索し、取得する（この場合、「イソ  ニヒャク」という音声の音声データが取得される。）。また、たとえば、絞りがｆ１．４からｆ２に切り替えられた場合、新たに切り替えられたｆ２の切替音の音声データを音声データベース１１２から検索し、取得する（この場合、「エフ  ニ」という音声の音声データが取得される。）。
【０２６１】
このようにして切替音の音声データを取得すると、ＣＰＵ５０は、取得した音声データを再生処理する。すなわち、オーディオ入出力回路１１０を介してスピーカ１６から出力させる（ステップＳ７３）。
【０２６２】
撮像者は、このスピーカ１６から出力される音声を聞くことにより、撮像条件が切り替えられたことを音で直感的に把握することができる。
【０２６３】
この後、ＣＰＵ５０は、操作部５２からの入力に基づいて電源がオフされたか否かを判定する（ステップＳ７４）。電源がオフされていない場合は、ステップＳ７０に戻り、上記の処理を再度実行する。一方、電源がオフされたと判定すると、処理を終了する。
【０２６４】
このように、本実施の形態の撮像装置では、特定の撮像条件が切り替えられると、その切り替えられた撮像条件の新たな設定値に対応する音声がスピーカ１６から出力される。これにより、正しく設定が切り替えられていることを確認でき、安心して効率よく撮像を行うことができる。また、このように音で各種情報が出力されることにより、目の不自由な人にも使い勝手のよい撮像装置を提供することができる。
【０２６５】
なお、どの撮像条件について切替音を出力させるかについては、ユーザが任意に設定できるようにすることが好ましい。すなわち、すべての撮像条件について切替音を出力させるのではなく、ユーザが選択した撮像条件についてのみ切替音を出力させることができるようにすることが好ましい。この選択操作は、たとえば、メニュー画面で行われる。
【０２６６】
また、この切り替えを撮像モードに応じて自動で行うようにしてもよい。すなわち、たとえば、ＡＥモードとして、絞り優先ＡＥモードが選択された場合、絞り値が切り替えられた場合にのみ、切り替えられた絞り値に対応した切替音が出力されるように構成する。同様に、ＡＥモードとして、シャッタ速度優先ＡＥモードが選択された場合は、シャッタ速度が切り替えられた場合にのみ、切り替えられたシャッタ速度に対応した切替音が出力されるように構成する。また、ＡＥモードとして、マニュアルモードに設定された場合は、絞り値とシャッタ速度が切り替えられた場合にのみ、切り替えられた絞り値、シャッタ速度に対応した切替音が出力されるように構成する。
【０２６７】
また、上記の例では、各撮像条件の設定値の内容をそのまま音声で読み上げて切替音としているが、切替音の種類は、これに限定されるものではない。すなわち、各撮像条件を区別でき、かつ、その設定値を区別できれば、切替音の種類は問われない。たとえば、上記第１の実施の形態で説明したように、同じ音声で設定値に応じて出力を歪ませる（ノイズ成分を付加）ようにしてもよい。
【０２６８】
なお、本実施の形態の撮像装置の機能、すなわち、特定の撮像条件の切り替えに応じて切替音を出力する機能を第１及び第２の実施の形態の撮像装置に備えることもできる。
【図面の簡単な説明】
【０２６９】
【図１】撮像装置の外観構成を示す外観図
【図２】撮像装置の内部構成を示すブロック図
【図３】本撮像時のＩＳＯ感度に応じてシャッタ音を変化させる場合のシャッタ音の出力例を示す表
【図４】本撮像時のホワイトバランス（光源種）の設定に応じてシャッタ音を変化させる場合のシャッタ音の出力例を示す表
【図５】本撮像時に設定されている絞り値に応じてシャッタ音を変化させる場合のシャッタ音の出力例を示す表
【図６】本撮像時に設定されている絞り値に応じてシャッタ音を変化させる場合のシャッタ音の出力例を示す表
【図７】本撮像時に設定されているシャッタ速度に応じてシャッタ音を変化させる場合のシャッタ音の出力例を示す表
【図８】本撮像時に設定されているＡＥモードに応じてシャッタ音を変化させる場合のシャッタ音の出力例を示す表
【図９】撮像条件に応じたシャッタ音の出力処理の手順を示すフローチャート
【図１０】本撮像時のＩＳＯ感度に応じてシャッタ音を変化させる場合のシャッタ音の出力例を示す表
【図１１】ＩＳＯ感度の設定値に応じてシャッタ音を歪ませて出力する場合の処理の手順を示すフローチャート
【図１２】音声加工機能を備えた撮像装置の内部構成を示すブロック図
【図１３】ＩＳＯ感度の情報に対して更にノイズ除去の有無の情報を付加してシャッタ音を出力する場合のシャッタ音の出力例を示す表
【図１４】ＩＳＯ感度の情報に対して更にノイズ除去の有無の情報を付加してシャッタ音を出力する場合のシャッタ音の出力例を示す表
【図１５】ＡＥモードに応じてシャッタ音を切り替える場合のシャッタ音の出力例を示す表
【図１６】動画撮像時における音声出力の処理の手順を示すフローチャート
【図１７】ノイズキャンセリング機能を備えた撮像装置の内部構成を示すブロック図
【図１８】撮像中であることを示す音声を出力しながら動画を撮像する場合の処理の手順を示すフローチャート
【図１９】動画撮像モード時に出力する音声の出力例を示す表
【図２０】ＩＳＯ感度の切り替えに応じて切替音を出力する場合の切替音の出力例を示す表
【図２１】ホワイトバランス（光源種）の設定の切り替えに応じて切替音を出力する場合の切替音の出力例を示す表
【図２２】露出補正に応じて切替音を出力する場合の切替音の出力例を示す表
【図２３】絞り値の切り替えに応じて切替音を出力する場合の切替音の出力例を示す表
【図２４】シャッタ速度の切り替えに応じて切替音を出力する場合の切替音の出力例
【図２５】ＡＥモードの切り替えに応じて切替音を出力する場合の切替音の出力例を示す表
【図２６】撮像条件の切り替えに応じて切替音を出力する場合の処理の手順を示すフローチャート
【符号の説明】
【０２７０】
１０…撮像装置、１２…電源スイッチ、１４…シャッタボタン、１６…スピーカ、１８…動作モード切替スイッチ、２０…ズームスイッチ、２２…モニタ、２４…ファインダ接眼部、２６…メニューボタン、２８…表示ボタン、３０…マルチファンクションスイッチ、３２…削除ボタン、３４…フラッシュ、３６…ファインダ窓、３８…レンズ、４０…マイク、５０…中央処理装置（ＣＰＵ）、５２…バス、５４…操作部、５６…光学系、５８…撮像素子、６０…ＣＤＳアナログエンコーダ、６２…ホワイトバランスアンプ、６４…ガンマ補正処理部、６６…点順次化回路、６８…Ａ／Ｄ変換器、７０…ズームモータ、７２…アイリスモータ、７４…ＡＦモータ、７６…ズームモータドライバ、７８…アイリスモータドライバ、８０…ＡＦモータドライバ、８２…内蔵時計、８４…電子ボリューム（ＥＶＲ）、８６…メモリコントローラ、８８…メインメモリ、９０…圧縮／伸張処理部、９２…ＭＰＥＧエンンコーダ＆デコーダ、９４…ＹＣ信号作成部、９６…色変換部、９８…ＮＴＳＣエンコーダ、１００…外部メモリインタフェイス、１０２…外部メモリ、１０４…通信インタフェイス、１０８…モニタドライバ、１１０…オーディオ入出力回路、１１２…音声データベース、１１４…音声データ加工部、１１６…ノイズキャンセリング処理部
【図１】
2009088688.tif 000003
【図２】
2009088688.tif 000004
【図３】
2009088688.tif 000005
【図４】
2009088688.tif 000006
【図５】
2009088688.tif 000007
【図６】
2009088688.tif 000008
【図７】
2009088688.tif 000009
【図８】
2009088688.tif 000010
【図９】
2009088688.tif 000011
【図１０】
2009088688.tif 000012
【図１１】
2009088688.tif 000013
【図１２】
2009088688.tif 000014
【図１３】
2009088688.tif 000015
【図１４】
2009088688.tif 000016
【図１５】
2009088688.tif 000017
【図１６】
2009088688.tif 000018
【図１７】
2009088688.tif 000019
【図１８】
2009088688.tif 000020
【図１９】
2009088688.tif 000021
【図２０】
2009088688.tif 000022
【図２１】
2009088688.tif 000023
【図２２】
2009088688.tif 000024
【図２３】
2009088688.tif 000025
【図２４】
2009088688.tif 000026
【図２５】
2009088688.tif 000027
【図２６】
2009088688.tif 000028